(57)【要約】【課題】すき間へ容易に設置できるとともに精度良く高さ調整が可能なために、少なくとも家具の転倒を遅らせることができ、しかも安価に材料を入手可能なすき間収納具を提供する。【解決手段】すき間に収容されるすき間収納具１であって、上縁３ａに開口部６が開口する壁部３と、底部４を有する本体２と、上縁３ａを覆うように被着される被着部５を備え、壁部３は、上縁３ａが壁部の高さの方向に対して直交しているとともに、壁部３の外周面３ｃ〜３ｆに複数の直線７が所望の間隔を空けて上縁３ａに対して平行に設けられ、複数の直線７は、壁部３の高さをすき間の高さと一致させる高さ調整が必要な場合に、壁部３をその長手方向Ｙに沿って短縮する際の目安となる補助線である。【選択図】図１
0003222808.tif 000002
【実用新案登録請求の範囲】
【請求項１】
すき間に収容されるすき間収納具であって、
上縁に開口部が開口する壁部を少なくとも有する本体と、前記上縁を覆うように被着される被着部を備え、
前記壁部は、前記上縁が前記壁部の高さの方向に対して直交しているとともに、前記壁部の外周面に複数の直線が所望の間隔を空けて前記上縁に対して平行に設けられ、
複数の前記直線は、前記壁部の前記高さを前記すき間の高さと一致させる高さ調整が必要な場合に、前記壁部をその長手方向に沿って短縮する際の目安となる補助線であることを特徴とするすき間収納具。
【請求項２】
前記本体は、前記上縁に対して平行に設けられる底部を備え、
この底部は、その外面に、滑り止めが設けられることを特徴とする請求項１に記載のすき間収納具。
【請求項３】
複数の前記直線は、前記上縁から前記壁部の下縁にかけて、互いに均等な間隔を空けて配置されることを特徴とする請求項１又は請求項２に記載のすき間収納具。
【請求項４】
前記本体及び前記被着部は、それぞれダンボール製であることを特徴とする請求項１乃至請求項３のいずれか１項に記載のすき間収納具。
【請求項５】
前記壁部の前記外周面は、所望のデザインが施され、
複数の前記直線は、前記デザインの少なくとも一部を構成することを特徴とする請求項１乃至請求項４のいずれか１項に記載のすき間収納具。
【考案の詳細な説明】
【技術分野】
【０００１】
本考案は、家具の天面と天井のすき間や、家具内のすき間に設置されるすき間収納具に係り、特に、高さを自在に調整可能なすき間収納具に関する。
【背景技術】
【０００２】
従来、壁に沿って設置されるタンスや本棚等の家具では、その天面と天井との間にすき間が設けられていることが通常であった。しかし、地震発生時には、このすき間があることによって家具が動き出し、転倒してしまうことがある。そのため、例えば、伸縮可能な棒体を、その両端面を家具の天面と天井にそれぞれ圧接して設置することで家具を動かないように固定する方法が一般に行われている。
しかし、このような棒体は、縦方向の強度は強いものの、両端面の面積が狭く家具の天面と天井に点接触している。そのため、棒体は、縦揺れにはある程度の家具転倒防止効果を有するが、横揺れでは両端面が家具の天面と天井から外れ易いという課題があった。また、天井板の強度が低い場合には、棒体が天井を突き破るおそれがあるという課題もあった。さらに、棒体を伸縮させる際に、天井付近でネジ留め作業や棒体自体を回動させる作業が必要であり、設置作業が容易でないといった課題もあった。
そこで、近年、家具の天面と天井に対して点接触よりも広く接触することで、横揺れ時にも外れ難く、かつ天井を突き破ることがなく、さらに容易に設置することができる家具転倒防止のための技術が開発されており、それに関して既に発明及び考案が開示されている。
【０００３】
特許文献１には「家具転倒防止器具」という名称で、ダンボール箱を使用した家具転倒防止器具に関する発明が開示されている。
以下、特許文献１に開示された発明について説明する。特許文献１に開示された発明は、下箱と上箱からなる一組のダンボール箱の上箱の裏面に、ダンボール箱の高さ調整用の部材を取り付けたことを特徴とする。
このような特徴を有する発明においては、上箱の裏面の端にダンボール紙を必要な枚数だけ重ねて貼り付けることにより、ダンボール箱の上面の高さが調整される。また、ダンボール箱の持つ弾性を利用することで、ダンボール箱が家具と天井の間に隙間なく挟み込まれる。
したがって、特許文献１に開示された発明によれば、ダンボール箱の上面と下面を、それぞれ天井面と家具の天板に面的に密着することができるので、横揺れ時にも外れ難く、かつ天井を突き破ることがなく、家具の転倒を防止できる。さらに、ダンボール箱を家具と天井の間に嵌め込むだけで設置できるため、取り扱いも容易である。
【０００４】
次に、特許文献２には「家具転倒防止機能付き収納箱」という名称で、伸縮する棒体を箱体内に配置した家具転倒防止機能付き収納箱に関する考案が開示されている。
以下、特許文献２に開示された考案について説明する。特許文献２に開示された考案は、下箱と、中箱と、上箱と、複数の伸縮棒を備え、下箱は上面が開放されたダンボール箱であり、中箱は下面が開放され、かつその高さが下箱の高さよりも低く設定されるダンボール箱であり、上箱は下面が開放されたダンボール箱であり、複数の伸縮棒は中箱と上箱の間、または下箱と上箱の間に立てて配置されることを特徴とする。
このような特徴を有する考案においては、複数の伸縮棒は、中箱と上箱の間、または中箱を取り出して下箱と上箱の間に配置されるので、伸縮棒の伸縮可能範囲を超えて上箱上面の高さ調節を行うことが可能となる。
また、複数の伸縮棒が、中箱と上箱の四隅同士、または下箱と上箱の四隅同士を連結するように配置される場合、下箱の下面全体と、上箱の上面全体がそれぞれ家具と天井に接触する。すなわち、下箱の下面と、上箱の上面がいずれも面接触した状態になる。したがって、家具転倒防止機能付き収納箱によれば、横揺れ時にも外れ難く、かつ天井を突き破ることがないため、家具の転倒を防止できる。
【先行技術文献】
【特許文献】
【０００５】
【特許文献１】特開２００７−８２９７６号公報
【特許文献２】実用新案登録第３１７１４０９号公報
【考案の概要】
【考案が解決しようとする課題】
【０００６】
しかしながら、特許文献１に開示された発明においては、上箱を下箱に被せたときのダンボール箱の高さが、家具と天井の間隔よりも小さい場合、高さ調整用の部材は有効性を発揮し得る。
これに対し、上記のダンボール箱の高さが家具と天井の間隔よりも大きい場合、高さ調整用の部材は不要である一方、少なくとも下箱の高さを減少させることが必要である。この場合、例えば下箱の上縁をハサミ等でカットすると良いが、不慣れなために上縁の高さが不揃いになってしまうおそれがある。すると、上箱の上面が傾斜し、これにより上面に局所的な圧力が加わって上箱や下箱がつぶれてしまう可能性がある。したがって、家具転倒防止器具を設置しても、家具の転倒を防止できないのはもちろんのこと、その転倒を遅らせることさえも困難となる。
【０００７】
次に、特許文献２に開示された考案においては、伸縮棒が各箱の四隅同士を連結するように配置される場合、それぞれの長さ調整を天井付近で行うという煩雑さがある。よって、設置作業が容易でないという課題を十分に解決できたとは言えない可能性がある。また、複数の伸縮棒を購入することが必要であり、多くの家具転倒防止機能付き収納箱を設置したい場合には、費用が嵩んでしまう。
【０００８】
本考案は、このような従来の事情に対処してなされたものであり、高さ調整作業を天井付近で行わなくて済むことですき間へ容易に設置できるとともに精度良く高さ調整が可能なために、少なくとも家具の転倒を確実に遅らせることができ、しかも安価に材料を入手可能なすき間収納具を提供することを目的とする。
【課題を解決するための手段】
【０００９】
上記目的を達成するため、第１の考案は、すき間に収容されるすき間収納具であって、上縁に開口部が開口する壁部を少なくとも有する本体と、上縁を覆うように被着される被着部を備え、壁部は、上縁が壁部の高さの方向に対して直交しているとともに、壁部の外周面に複数の直線が所望の間隔を空けて上縁に対して平行に設けられ、複数の直線は、壁部の高さをすき間の高さと一致させる高さ調整が必要な場合に、壁部をその長手方向に沿って短縮する際の目安となる補助線であることを特徴とする。
【００１０】
このような構成の考案においては、すき間として、例えば、家具の天面と天井の間の空間や、ラックの棚と棚の間の空間を想定している。ここで、家具の天面と天井、ラックの棚は、通常水平に配置されているから、本願においてもそのように想定する。また、本体として、例えば、壁部と底部からなる箱体や、壁部のみからなる筒体が使用される。さらに、被着部としては、壁部の上縁を覆うことができるように、例えば、平板状の部材が二つ折りにされたものが使用される。なお、本体の材質として、例えば、厚紙、ダンボール、木板、プラスチックが考えられ、特に限定されない。被着部の材質もこれと同様である。
【００１１】
そして、壁部の外周面に設けられる直線は、例えば、実線のほか、点線、破線で構成されても良く、また様々な太さや色を有するものが用いられても良い。あるいは、細かい周期で繰り返される波線ではあるが、大まかには壁部の横方向に沿って走行している線も直線に含まれる。
また、複数の直線の所望の間隔とは、特定の間隔に限定されるものではなく、例えば、１ｃｍや０．５ｃｍ、あるいは２ｃｍ等の均等間隔であるほか、異なる値の間隔が混合されていても良い。
さらに、複数の直線は、壁部の上縁から下縁に亘って壁部の外周面の全体に設けられるほか、壁部の上縁寄りの一部や、壁部の高さの中央部分寄りの一部のみに設けられても良く、特に限定されない。
【００１２】
上記構成の考案においては、壁部の高さがすき間の高さとほぼ等しい場合、これらの高さを一致させる高さ調整が不要である。この「高さ調整」とは、壁部を所望の高さとするために、壁部を切断したり、折り曲げたりすることによって、壁部をその長手方向に沿って短縮する調整をいう。
また、「一致」とは、厳密に壁部の高さがすき間の高さと等しい場合に限定されない。具体的には、壁部の上縁に被着部が被着された状態のすき間収納具が、任意の高さのすき間をその上下方向に埋めるように設置可能であれば、壁部の高さとすき間の高さがわずかに異なっていても良い。すなわち、壁部の高さとは、被着部の厚み分の誤差を含む概念である。
【００１３】
一方、壁部の高さがすき間の高さよりも大きい場合、これらの高さを一致させる高さ調整が必要である。そこで、例えば、複数の直線のうちから選択した一の直線に沿って壁部を切断等すると、短縮後の上縁を短縮前の上縁に対して平行させることができる。
その後、短縮後の上縁に被着部を被着して、例えば家具の天面と天井のすき間に挿入すると、壁部の下縁全体と被着部の上端全体がそれぞれ家具の天面と天井に接触することになる。
【００１４】
次に、第２の考案は、第１の考案において、本体は、上縁に対して平行に設けられる底部を備え、この底部は、その外面に、滑り止めが設けられることを特徴とする。
このような構成の考案においては、第１の考案の作用に加えて、本体の底部の外面に滑り止めが設けられることで、本体の横滑りが強く防止される。滑り止めとしては、例えば、底面に貼着されるゴムシート等、底面と家具の天面との摩擦力を増大させるものであれば良い。
【００１５】
続いて、第３の考案は、第１又は第２の考案において、複数の直線は、上縁から壁部の下縁にかけて、互いに均等な間隔を空けて配置されることを特徴とする。
このような構成の考案においては、第１又は第２の考案の作用に加えて、複数の直線が上縁から壁部の下縁にかけて配置されるから、精度良く高さ調整の可能な範囲が壁部の高さの全体に亘ることになる。
また、複数の直線は、互いに均等な間隔を空けて配置されることで、例えば上縁からの直線の本数を数えることにより、壁部を短縮させるべき幅、すなわち、壁部の高さと、すき間の高さとの差が正確に壁部の外周面上に反映される。
【００１６】
さらに、第４の考案は、第１乃至第３のいずれかの考案において、本体及び被着部は、それぞれダンボール製であることを特徴とする。
このような構成の考案においては、第１乃至第３のいずれかに記載の考案の作用に加えて、本体及び被着部は、それぞれダンボール製であるので、軽量であるとともに、ある程度の強度が発揮される。
【００１７】
そして、第５の考案は、第１乃至第４のいずれかの考案において、壁部の外周面は、所望のデザインが施され、複数の直線は、デザインの少なくとも一部を構成することを特徴とする。
このような構成の考案において、所望のデザインとは、例えば、気に入った図柄、模様、彩色、文字、記号、記入欄等を言い、特定のものに限定されない。具体的には、例えば、壁部の外周面に、美しい図柄や模様が施されている場合が考えられる。
【００１８】
さらに、複数の直線がデザインの少なくとも一部を構成するとは、例えば、壁部の外周面に、格子柄やチェック柄、横方向の縞模様といった、横方向に走行する複数の実線等を含む図柄が施されている場合に、このような複数の実線等を補助線として利用する場合である。また、壁部の外周面に、実線等が明示されてはいないものの、異なる色同士が一定の横幅を有して横方向に走行してなる縞模様が施されている場合には、異なる色同士の境界を複数の直線として見出し、補助線とする場合である。そして、複数の直線がデザインの全部を構成する場合としては、例えば、様々な太さや色を有する複数の直線が組み合わされてチェック柄を構成している場合に、このような複数の直線を補助線とする場合が考えられる。
【考案の効果】
【００１９】
第１の考案によれば、選択した直線に沿って壁部を切断等することにより、その高さを調整できるため、従来のようなネジ留め作業や棒体自体を回動させる作業をしなくても、任意の高さのすき間にすき間収納具を挿入することができる。
さらに、第１の考案によれば、壁部の上縁に対して平行に設けられる複数の直線を補助線として壁部を切断等すると、短縮後の上縁を短縮前の上縁に対して平行させることができるから、精度良く高さ調整をすることができる。
【００２０】
したがって、第１の考案によれば、壁部の下縁全体と被着部の上端全体がそれぞれ家具の天面と天井に接触することで、天面と天井のすき間が本体と被着部によって埋められるため、地震発生時に家具の傾斜が抑制されて、その転倒を防止、または転倒を遅らせることができる。さらに、上縁の高さが不揃いにならないことにより、壁部の下縁全体と被着部の上端全体がそれぞれ家具の天面と天井に接触するから、被着部の上端も壁部の高さ方向に対して傾斜することがない。これにより、被着部の上端に局所的な圧力が加わっても本体がつぶれてしまう可能性が軽減される。これらの結果、家具の下敷きになる居住者の割合が減少することが期待できる。
【００２１】
第２の考案によれば、第１の考案の効果に加えて、滑り止めが設けられることで、本体の横滑りが強く防止されるため、家具の傾斜をより一層抑制することができる。
【００２２】
第３の考案によれば、第１又は第２の考案の効果に加えて、精度良く高さ調整が可能な範囲が壁部の高さの全体に亘ることになるので、壁部をどの箇所で切断等しても短縮後の上縁を短縮前の上縁に対して平行させることができる。
また、上縁からの直線の本数を数えるといった簡単な手順で、壁部を切断等すべき箇所を正確に把握できるため、使い勝手も良好である。
【００２３】
第４の考案によれば、第１乃至第３のいずれかの考案の効果に加えて、例えば、使用後のダンボール箱にやや手を加えることで本体と被着部を制作できるため、一般家庭で容易に導入することができる。また、第４の考案によれば、ある程度の強度が発揮されるとともに、材料のダンボールを安価に購入できることから、費用対効果が良好である。また、万一すき間収納具が落下した場合でも、木やプラスチックを材料とした場合と比較して、柔軟であるため、居住者が怪我をし難い。
【００２４】
第５の考案によれば、第１乃至第４のいずれかの考案の効果に加えて、壁部の外周面に所望のデザインが施されることで、すき間収納具の見た目が気に入ったものになる。よって、居住者にすき間収納具を設置したことによって居住者が違和感や圧迫感を感じるおそれがある場合には、これらの違和感等を感じさせないようにすることができる。
また、壁部の外周面に、横方向に走行する複数の実線等を含む図柄が施されている場合では、改めて複数の直線を設けなくて良いので、制作の手間が省けることになる。
【図面の簡単な説明】
【００２５】
【図１】（ａ）及び（ｂ）は、それぞれ実施例に係るすき間収納具の外観を示す斜視図及び（ａ）におけるＡ−Ａ線矢視断面図である。
【図２】（ａ）及び（ｂ）は、それぞれ実施例に係るすき間収納具を構成する被着部の展開図及び被着時の斜視図であり、（ｃ）は、すき間収納具をその底部側から見た場合の斜視図である。
【図３】（ａ）及び（ｂ）は、それぞれ実施例に係るすき間収納具の作用を説明するための説明図であって、室内に設置された家具を側面視した場合の模式図である。
【図４】実施例に係るすき間収納具の使用状態図である。
【図５】（ａ）乃至（ｄ）は、それぞれ実施例の第１乃至第４の変形例に係るすき間収納具を構成する本体の側面図である。
【図６】（ａ）乃至（ｄ）は、それぞれ実施例の第５乃至第８の変形例に係るすき間収納具を構成する壁部の側面図である。
【図７】（ａ）及び（ｂ）は、それぞれ実施例の第９及び第１０の変形例に係るすき間収納具を構成する壁部の側面図である。
【考案を実施するための形態】
【実施例】
【００２６】
本考案の実施の形態に係るすき間収納具について、図１乃至図４を用いて詳細に説明する。図１（ａ）及び図１（ｂ）は、それぞれ実施例に係るすき間収納具の外観を示す斜視図及び図１（ａ）におけるＡ−Ａ線矢視断面図である。
図１（ａ）及び図１（ｂ）に示すように、実施例に係るすき間収納具１は、すき間Ｓ１（図３，４参照）に収容されるすき間収納具であって、高さＨの壁部３と、底部４からなる本体２と、被着部５を備える。このうち、壁部３は、その長手方向Ｙに直交する方向である横方向Ｘに沿って切断した場合の横断面の外周が長方形をなすとともに、上縁３ａ及び下縁３ｂを有する角筒体である。また、底部４は、一対の長辺４ａ,４ｂと、一対の短辺４ｃ，４ｄで囲まれた長方形の平板体であって、壁部３の下縁３ｂを閉止するように設けられる。さらに、被着部５も、横方向Ｘに沿って切断した場合に、その横断面が壁部３とほぼ同形状をなす角筒体である。
【００２７】
なお、本体２及び被着部５は、それぞれダンボール製である。詳細には、本体２は、底部と、開閉可能な蓋体を有する一般的な角型ダンボール箱から蓋体を除去せずに、この蓋体を底部に対して直角に起こした状態にして制作されたものである。この場合、壁部３の四隅には上縁３ａから一定長さ、例えば１０ｃｍ長さのスリットＳＬがそれぞれ存在することになる。そのため、壁部３を上縁３ａの側から、後述する一の直線７に沿って切断するとき、このスリットＳＬを利用すれば簡単に切断できるので便利である。
さらに、被着部５は平板状のダンボール片を材料として制作されたものである。なお、被着部５は、壁部３の四隅のスリットＳＬがすべて閉じられた状態のとき、上縁３ａに被着される。この被着部５については、後に図２（ａ）及び図２（ｂ）を用いて説明する。
【００２８】
また、壁部３は、その上縁３ａ及び下縁３ｂがいずれも高さＨの方向に対して直交、すなわち長手方向Ｙに対して直交しているとともに、上縁３ａには開口部６が開口している。さらに、壁部３の外周面３ｃ〜３ｆには、複数の直線７が、所望の間隔を空けて上縁３ａ及び下縁３ｂに対してそれぞれ平行に、すなわち横方向Ｘに対して平行に設けられる。この複数の直線７は、壁部３の高さＨをすき間Ｓ１の高さと一致させる高さ調整が必要な場合に、壁部３をその長手方向Ｙに沿って短縮する際の目安となる補助線である。
具体的には、複数の直線７は、壁部３を形成する外周面３ｃ〜３ｆ全体に直接印刷されることで描出された実線であり、上縁３ａから下縁３ｂにかけて、互いに均等な間隔を空けて配置されている。この間隔は、例えば、１．０ｃｍとされるが、これ以外に０．５ｃｍや２ｃｍとしても良く、特に限定されない。
また、底部４は上縁３ａ及び下縁３ｂに対して平行に設けられる。
【００２９】
さらに、図１（ｂ）に示すように、被着部５は、その上端５ａの裏側を壁部３の上縁３ａに接触させた状態で、この上縁３ａを覆うように接着部材を用いることなく被着される。この結果、被着部５によって、壁部３の上縁３ａや、壁部３に設けられたスリットＳＬの周辺がぐらつかないように補強される。このほか、被着部５を壁部３に被着する前に、例えば、両面テープや糊といった接着部材を、予め壁部３の上縁３ａへ貼り付け又は塗布することにより、被着部５を被着すると同時に壁部３へ接着することができる。この場合、被着部５が壁部３から外れ難くなるので、被着部５がより安定的に壁部３へ固定され、上縁３ａや、スリットＳＬの周辺を一層強く補強することができる。
そして、壁部３と底部４で囲まれた部分は内部空間３ｇとなっており、すき間収納具１を実際に使用する際には、この内部空間３ｇに物を収容することも可能である。このように、内部空間３ｇに物を収容する場合では、その重さが加わることで、地震の際にすき間収納具１が移動し難くなるので、すき間収納具１の横滑りや浮き上がりを抑制し、その変形の程度を軽減することができる。すなわち、図３を用いて後述するように、家具５０の傾斜が抑制されて、その転倒を防止、または転倒を遅らせることができる。
また、内部空間３ｇに収容された物の上端面が天井５４（図３参照）に接触する場合には、すき間収納具１の変形の程度がより軽減されて家具５０の転倒を防止又は遅延させることができる。さらに、内部空間３ｇに収容された物が、その上端面を天井５４に押し付ける方向の弾性を発揮する場合には、上記の効果を一層強く奏することになる。
【００３０】
次に、すき間収納具１を構成する被着部について、図２（ａ）及び図２（ｂ）を用いて説明する。図２（ａ）及び図２（ｂ）は、それぞれ実施例に係るすき間収納具を構成する被着部の展開図及び被着時の斜視図である。なお、図１で示した構成要素については、図２（ａ）及び図２（ｂ）においても同一の符号を付して、その説明を省略する。
図２（ａ）に示すように、すき間収納具１を構成する被着部５は、長辺８ａ,８ｂと、短辺８ｃ、８ｄで囲まれた長方形をなす平板状のダンボール片８を加工したものである。加工方法としては、まず、このダンボール片８の一方の長片８ａに、細長いクサビ形の切れ込み９ａ〜９ｃを互いに間隔を空けて形成する。詳細には、短辺８ｃから切れ込み９ａまでの間隔Ｄ１と、切れ込み９ｂから切れ込み９ｃまでの間隔Ｄ３は、それぞれ壁部３の上縁３ａの長辺とほぼ同じ長さである。また、切れ込み９ａから切れ込み９ｂまでの間隔Ｄ２と、切れ込み９ｃから短辺８ｄまでの間隔Ｄ４は、それぞれ上縁３ａの短辺とほぼ同じ長さである。具体的には、間隔Ｄ１,Ｄ３の長さは、上縁３ａの長辺の長さに、ダンボール片８の厚みの２倍の値を加えた長さが好適であり、間隔Ｄ２,Ｄ４の長さは、上縁３ａの短辺の長さに、ダンボール片８の厚みの２倍の値を加えた長さが好適である。これは、被着部５を壁部３に被着した際に、被着部５が壁部３によって外方へ拡張し見栄えが悪くなることがないように、予め間隔Ｄ１〜Ｄ４の長さを上縁３ａの長辺及び短辺の各長さよりも、それぞれ大きめに見積もったものである。ただし、間隔Ｄ１〜Ｄ４は、もちろん上記以外の長さに設計されても良い。
また、長片８ａと短片８ｃ、８ｄがそれぞれなす角部１０,１０はいずれも直角となっている。
【００３１】
なお、詳細には、間隔Ｄ１,Ｄ３の組み合わせを、壁部３の上縁３ａの長辺よりも数ｍｍ程度の長め、例えば３ｍｍ程度の長めとしている。間隔Ｄ２,Ｄ４においても同様に、これらの組み合わせを壁部３の上縁３ａの短辺よりも数ｍｍ程度の長め、例えば３ｍｍ程度の長めとしている。
あるいは、使用するダンボール片８の厚みによって、間隔Ｄ１,Ｄ３の長さの組み合わせ及び間隔Ｄ２,Ｄ４の長さの組み合わせを、それぞれ壁部３の上縁３ａの長辺及び短辺よりも８ｍｍ程度の長めとしても良い。
このほか、間隔Ｄ１,Ｄ２の組み合わせ、または間隔Ｄ２,Ｄ４の組み合わせのいずれかを、それぞれ上縁３ａの長辺と、短辺の長さよりも長めにしても良い。これは、被着部５を壁部３の上縁３ａに被せ易くするためである。
【００３２】
次に、ダンボール片８の一方の面８ｅ（図２（ａ）における手前側の面）において、１本の線Ｌ１を中心として、例えば他方の長辺８ｂが図２（ａ）の奥側から手前側に来るように、谷折り（図中白抜き矢印）し、ダンボール片８を二つ折りにする。これにより、他方の面８ｆ側に出現する頂部が、被着部５の上端５ａ（図２（ｂ）参照）となる。
さらに、切れ込み９ａ〜９ｃの頂部から他方の長辺８ｂへそれぞれ伸ばした３本の線Ｌ２のすべてで、被着部５の外側に来るように折り返された一方の面８ｆ側から見て山折りとする。これにより、被着部５が形成される。詳細には、この被着部５は、他方の長片８ｂよりも一方の長片８ａが下方に位置し、かつ他方の長片８ｂを備えるダンボール片８で囲まれる中に一方の長片８ａを備えるダンボール片８が配置されたものとなる。なお、切れ込み９ａ〜９ｃをクサビ形としたのは、そのようにした方がダンボール片８を手早く折ることができるからである。
【００３３】
続いて、図２（ｂ）に示すように、二つ折りされたダンボール片８で壁部３の上縁３ａを挟み、被着部５をそのまま下降させると、壁部３の上縁３ａを覆うように被着部５が被着される。このとき、角部１０,１０がいずれも直角となっているため、被着部５が開口部６において浮き上がることがなく、収まりが良くなる。したがって、被着部５の上端５ａは、底部４に対して平行になる。
【００３４】
さらに、すき間収納具１を構成する底部について、図２（ｃ）を用いて説明する。図２（ｃ）は、すき間収納具をその底部側から見た場合の斜視図である。なお、図１、図２（ａ）及び図２（ｂ）で示した構成要素については、図２（ｃ）においても同一の符号を付して、その説明を省略する。
図２（ｃ）に示すように、底部４は、その外面４ｅに、面状の滑り止め１１,１１が設けられる。この滑り止め１１は、メッシュ状の薄厚ゴムシートからなり、一般的な接着剤を使用して外面４ｅに貼着されている。なお、滑り止め１１の材質は、家具の天面との摩擦力を増大させるものであれば、ゴムシートに限定されない。また、滑り止め１１のサイズや貼着枚数は、底部４の面積に応じて適宜決定される。
【００３５】
上記構成のすき間収納具１においては、すき間Ｓ１にすき間収納具１を挿入するとき、壁部３の高さＨがすき間Ｓ１の高さとほぼ等しい場合は、これらの高さを一致させる高さ調整が不要である。
しかし、壁部３の高さＨがすき間Ｓ１の高さよりも大きい場合、これらの高さを一致させる高さ調整が必要である。このとき、壁部３の高さＨとすき間Ｓ１の高さとの差が壁部３を短縮させるべき幅であるから、すき間Ｓ１の高さを定規等で実測しておく。次いで、上縁３ａとの間隔がその実測値とほぼ一致する一の直線７を選択する。そして、選択した一の直線７に沿って壁部３を切断すると、短縮後の上縁３ａが短縮前の上縁３ａに対して平行になるように、壁部３を短縮させることができる。
また、短縮前の上縁３ａは、壁部３の高さＨの方向に対して直交しているから、短縮後の上縁３ａも同様に、壁部３の高さＨの方向に対して直交する。そのため、短縮後の上縁３ａに被着部５を被着して、例えば家具の天面と天井のすき間に挿入すると、底部４の外面４ｅ全体と被着部５の上端５ａ全体がそれぞれ家具の天面と天井に接触することになる。
【００３６】
次に、実施例に係るすき間収納具を用いた際の作用について、図３を用いて説明する。図３（ａ）及び図３（ｂ）は、それぞれ実施例に係るすき間収納具の作用を説明するための説明図であって、室内に設置された家具を側面視した場合の模式図である。なお、図１及び図２で示した構成要素については、図３においても同一の符号を付して、その説明を省略する。
図３（ａ）に示すように、室内５１において、家具５０が、壁５２に沿って床５３に設置されている場合、家具５０の天面５０ａと天井５４との間にすき間Ｓ１が開いていると、地震の揺れにより、家具５０の奥側上方の角部であるＡ点が、手前側下方の角部であるＢ点を中心として、壁５２から離れる方向へ回動する場合がある。さらに、そのまま家具５０が室内５１の中央方向へ転倒し、居住者がその下敷きになってしまう場合もある。
【００３７】
しかし、図３（ｂ）に示すように、すき間Ｓ１に、その高さと等しい高さを有するすき間収納具１を設置すると、家具５０の天面５０ａがすき間収納具１を介して天井５４によって押さえられた状態となる。したがって、様々な方向の揺れが発生しても、家具５０のＡ点がＢ点を中心として回動し難くなる。
また、このとき、すき間収納具１の上端、すなわち、被着部５の上端５ａ全体が天井５４に接触するとともに、滑り止め１１,１１（図２（ｃ）参照）を備える底部４の外面４ｅ全体が天面５０ａに接触することになる。そのため、特に横揺れの際に、すき間収納具１が天面５０ａ上を横滑りすることが防止される。
【００３８】
さらに、すき間収納具の使用状態について、図４を用いて説明する。図４は、実施例に係るすき間収納具の使用状態図である。なお、図１乃至図３で示した構成要素については、図４においても同一の符号を付して、その説明を省略する。
図４に示すように、複数のすき間収納具１が、床５３に設置されたラック５５の天面５５ａと天井５４のすき間Ｓ１と、棚５５ｂと棚５５ｂのすき間Ｓ２のすべてにそれぞれ挿入されている。これらのすき間収納具１の横幅及び高さは、それぞれすき間Ｓ１,Ｓ２の横幅や高さに合わせて制作されたものである。
なお、図示は省略するが、棚５５ｂの裏面には複数の係止孔が形成されており、これらの係止孔にラック５５の縦板５５ｃから突出する複数のダボをそれぞれ係止させることで、棚５５ｂが水平に保持されている。よって、このようなラック５５は、棚５５ｂが地震の揺れで外れ、傾斜したり、落下したりし易いという欠点を有している。
【００３９】
上記構成のラック５５においては、天面５５ａと天井５４のすき間Ｓ１に挿入されたすき間収納具１により、ラック５５が天井５４によって動かないように押さえられる。また、すき間収納具１の底部４の外面４ｅ全体がラック５５の天面５５ａに面接触し、かつ被着部５の上端５ａ全体が天井５４に接触することにより、横揺れの発生時に、すき間収納具１の横滑りが抑制され、すき間収納具１自体が天面５５ａから落下してしまうことが防止される。
さらに、底部４に滑り止め１１,１１が貼着されていることにより、すき間収納具１の落下が一層強く防止される。よって、すき間Ｓ１にすき間収納具１が常時挿入されていることにより、不意の地震発生時にも、ラック５５の転倒を防止できる可能性がある。すなわち、揺れの強さによってはラック５５の転倒を完全に防止できないまでも、その転倒を遅らせることができる。
【００４０】
さらに、棚５５ｂと棚５５ｂのすき間Ｓ２にそれぞれすき間収納具１が挿入されることで、棚５５ｂが外れることが防止されるため、例えばすき間収納具１の内部空間３ｇ（図１（ｂ）参照）に収容されていた物が棚５５ｂとともに落下し、散乱することが防止される。
【００４１】
以上説明したように、実施例に係るすき間収納具１によれば、選択した一の直線７に沿って壁部３を切断することにより、その高さを調整できるため、従来のようなネジ留め作業や棒体自体を回動させる作業をしなくても、任意の高さを有するすき間Ｓ１にすき間収納具１を挿入することができる。このとき、短縮後の壁部３の上縁３ａを短縮前の上縁３ａに対して平行させることができるから、壁部３の上縁３ａの高さが不揃いになることがなく、精度良く高さ調整をすることができる。
また、複数の直線７は、壁部３の上縁３ａから下縁３ｂにかけて、互いに均等な間隔を空けて配置されていることにより、精度良く高さ調整が可能な範囲が壁部３の高さの全体に亘ることになるので、壁部３をどの箇所で切断等しても短縮後の上縁３ａを短縮前の上縁３ａに対して平行させることができる。
したがって、高さ調整をする、しないにかかわらず、壁部３の上縁３ａに被着された被着部５の上端５ａが不揃いになることがないから、この上端５ａに局所的な圧力が加わっても本体２がつぶれてしまう可能性が軽減される。
【００４２】
加えて、すき間収納具１によれば、被着部５の上端５ａが底部４に対して平行になっていることにより、図３で示したように、上端５ａ全体が天井５４に接触し、かつ底部４全体が家具５０の天面５０ａに接触する。そのため、天面５０ａと天井５４のすき間Ｓ１が本体２と被着部５によって埋められることになる。したがって、地震発生時に家具５０がすき間収納具１を介して天井５４によって押さえられるから、家具５０の傾斜が抑制されて、その転倒を防止、または転倒を遅らせることができる。その結果、家具５０の下敷きになる居住者の割合が減少することが期待できる。
【００４３】
また、高さ調整をする際に、壁部３の上縁３ａとの間隔が、壁部３の高さＨとすき間Ｓ１の高さとの差とほぼ一致する一の直線７を選択するが、これは、壁部３の上縁３ａからの直線７の本数を数えるといった簡単な手順で、選択できる。すなわち、すき間収納具１によれば、壁部３の外周面３ｃ〜３ｆに複数の直線７が描出されていることで、壁部３を切断等すべき箇所を正確に把握できるため、使い勝手も良好である。
また、壁部３の切断等を天井５４付近で行う必要がなく、テーブル上や床５３で行うことができる。よって、従来技術の天井５４付近で棒体を伸縮させる場合と比べて、極めて簡単かつ安全に設置することが可能となる。
【００４４】
そして、すき間収納具１によれば、例えば、使用後のダンボール箱にやや手を加えることで本体２と被着部５を簡単に制作できるため、一般家庭で容易に導入することができる。このとき、すき間収納具１の横幅や高さを所望の大きさに設計することができるため、図４で示したように、ラック５５の天面５５ａと天井５４とのすき間Ｓ１や、棚５５ｂと棚５５ｂとのすき間Ｓ２等、任意のすき間にすき間収納具１を挿入することができ、汎用性が高い。
また、すき間収納具１はダンボール製で軽量であるために、これを天井５４付近に持ち上げる際の負担が少ない。そして、すき間収納具１は、角型ダンボール箱の蓋体を底部４に対して直角に起こした状態にして壁部３の上縁３ａとし、さらに被着部５が被着されたものであるから、例えば、三脚を使用してすき間収納具１の内部空間３ｇに物を出し入れする際に、蓋体が天井５４に引っかかるのをその都度手で押さえる手間を省くことができる。よって、すき間収納具１をすき間Ｓ１へ挿入したり、すき間Ｓ１から取り出したりする動作だけに意識を集中できる。しかも、この場合、三脚を昇り降りすることなく、片手ですき間収納具１の上記挿入や取り出しをすることが可能である。また、同様に三脚を昇り降りすることなく、一方の手ですき間収納具１を保持しながら、他方の手で内部空間３ｇへ物を出し入れすることができるので、すき間収納具１を使用する際にかかる時間と労力を軽減することができる。また、三脚を使用しない場合であっても、蓋体が天井５４に引っかからないのは同様なので、すき間収納具１を片手で手軽にすき間Ｓ１へ挿入できる。
さらに、すき間収納具１は、ある程度の強度が発揮されるとともに、材料のダンボールを安価に購入、または使用後のダンボール箱をリサイクルすることで制作できることから、費用対効果が良好である。
また、従来の伸縮可能な棒体では、その上側の端面をネジを用いて天井に固定するものがある。しかし、このような棒体では、ネジによって天井が傷つくことから、これを避けるために敢えて家具を固定しない場合があった。これに対し、すき間収納具１をすき間Ｓ１に挿入しても天井５４が傷つくことはないので、上記の場合にも家具の転倒を遅延または防止できる手段として、すき間収納具１は有効である。
【００４５】
次に、実施例の第１乃至第４の変形例に係るすき間収納具の構成について、図５を用いて説明する。図５（ａ）乃至図５（ｄ）は、それぞれ実施例の第１乃至第４の変形例に係るすき間収納具を構成する壁部の側面図である。なお、図１乃至図４で示した構成要素については、図５においても同一の符号を付して、その説明を省略する。また、本体の壁部の上縁に設けられるスリットの図示も省略する。
図５（ａ）に示すように、実施例の第１の変形例に係るすき間収納具１ａでは、壁部３の外周面３ｃ〜３ｆに縞模様のデザインが施されている。この縞模様は、実施例に係るすき間収納具１における複数の直線７（図１参照）のような実線が明示されてはいないものの、互いに異なる色Ｃ１、Ｃ２同士が横方向Ｘに同一の幅で走行して形成されたものである。
よって、上記縞模様の一部を構成する異なる色Ｃ１、Ｃ２同士の境界部を、複数の直線７ａとして見出すことができる。したがって、すき間収納具１ａは、見出された複数の直線７ａを、壁部３をその長手方向Ｙに沿って短縮する際の目安となる補助線（以下、補助線という。）として利用できる。
次に、図５（ｂ）に示すように、実施例の第２の変形例に係るすき間収納具１ｂでは、壁部３の外周面３ｃ〜３ｆに、互いに異なる色Ｃ３〜Ｃ６がほぼ横方向Ｘに分布する不定形の模様を背景として、色Ｃ３〜Ｃ６と同系の薄い色で複数の直線７ｂが破線で描かれたデザインが施されている。すき間収納具１ｂでは、このような場合でも、上記デザインの一部を構成する複数の直線７ｂを見出すことができるので、この複数の直線７ｂを補助線として利用できる。
【００４６】
さらに、図５（ｃ）に示すように、実施例の第３の変形例に係るすき間収納具１ｃでは、壁部３の外周面３ｃ〜３ｆにスダレ模様のような格子柄のデザインが施されている。詳細には、この格子柄は、すき間収納具１ａよりも細かい横幅で横方向Ｘに走行してなる複数の直線７ｃ１と、長手方向Ｙに沿って一定間隔を空けて配置される複数の直線７ｃ２からなる。よって、すき間収納具１ｃでは、上記格子柄の一部を構成する複数の直線７ｃ１を補助線として利用している。
そして、図５（ｄ）に示すように、実施例の第４の変形例に係るすき間収納具１ｄでは、壁部３に横方向Ｘに走行する太さが一定でない複数の直線７ｄが施されており、縞模様のデザインを形成している。すなわち、複数の直線７ｄは、この縞模様の全体を構成するものである。このような直線７ｄの太さが一定でない場合でも、すき間収納具１ｄでは、複数の直線７ｄの太い部分又は細い部分を補助線として利用できる。
上記以外の実施例の第１乃至第４の変形例に係るすき間収納具１ａ〜１ｄの構成、作用及び効果は、それぞれ実施例に係るすき間収納具１の構成、作用及び効果と同様である。
【００４７】
さらに、実施例の第５乃至第８の変形例に係るすき間収納具の構成について、図６を用いて説明する。図６（ａ）乃至図６（ｄ）は、それぞれ実施例の第５乃至第８の変形例に係るすき間収納具を構成する壁部の側面図である。なお、図１乃至図５で示した構成要素については、図６においても同一の符号を付して、その説明を省略する。また、本体の壁部の上縁に設けられるスリットの図示も省略する。
図６（ａ）に示すように、実施例の第５の変形例に係るすき間収納具１ｅでは、本体２の壁部３に、横方向Ｘに沿って走行する複数の直線７ｅ１に加えて、長手方向Ｙに沿って走行する複数の直線７ｅ２からなる格子柄のデザインが施されている。なお、各格子は、正方形状であるが、長方形であっても良い。よって、すき間収納具１ｅでは、上記格子柄の一部を構成する複数の直線７ｅ１を補助線として利用できる。
次に、図６（ｂ）に示すように、実施例の第６の変形例に係るすき間収納具１ｆでは、壁部３に、横方向Ｘに沿って走行する複数の直線７ｆ１に加えて、長手方向Ｙに沿って走行する複数の直線７ｆ２からなる格子柄が施されている。この格子柄では、隣接する格子同士の色Ｃ７〜Ｃ９が異なっているが、複数の直線７ｆ１を明確に見出すことができる。よって、すき間収納具１ｆでは、上記格子柄の一部を構成する複数の直線７ｆ１を補助線として利用できる。
【００４８】
さらに、図６（ｃ）に示すように、実施例の第７の変形例に係るすき間収納具１ｇでは、壁部３に、大、中、小の正方形が重ねられて形成される格子が長手方向Ｙ及び横方向Ｘに連続して繰り返され、かつ各格子の角部同士を結ぶ傾斜した直線７ｇ４を備える格子柄が施されている。この格子柄では、傾斜した直線７ｇ４を備えるものの、横方向Ｘに沿って連なった大、中、小の正方形の辺をそれぞれ直線７ｇ１〜７ｇ３として明確に見出すことができる。よって、すき間収納具１ｇでは、上記格子柄の一部を構成する複数の直線７ｇ１〜７ｇ３を補助線として利用できる。
そして、図６（ｄ）に示すように、実施例の第８の変形例に係るすき間収納具１ｈでは、壁部３に、横方向Ｘに沿って走行する複数の直線７ｈ１,７ｈ２に加えて、斜め方向に走行する複数の直線７ｈ３からなるチェック模様が施されている。このうち、複数の直線７ｈ１は、細かい周期で繰り返される太い波線ではあるが、大まかには壁部３の横方向Ｘに沿って走行している。よって、すき間収納具１ｈでは、直線７ｈ１と、直線７ｈ２では、太さや形状が互いに異なっているものの、これらの上記チェック模様の一部を構成する複数の直線７ｈ１,７ｈ２を補助線として利用できる。
上記以外の実施例の第５乃至第８の変形例に係るすき間収納具１ｅ〜１ｈの構成、作用及び効果は、それぞれ実施例に係るすき間収納具１の構成、作用及び効果と同様である。
【００４９】
続いて、実施例の第９及び第１０の変形例に係るすき間収納具の構成について、図７を用いて説明する。図７（ａ）及び図７（ｂ）は、それぞれ実施例の第９及び第１０の変形例に係るすき間収納具を構成する本体の側面図である。なお、図１乃至図６で示した構成要素については、図７においても同一の符号を付して、その説明を省略する。また、本体の壁部の上縁に設けられるスリットの図示も省略する。
図７（ａ）に示すように、実施例の第９の変形例に係るすき間収納具１ｉでは、実施例に係るすき間収納具１の複数の直線７が壁部３の上縁３ａから下縁３ｂにかけて、互いに均等な間隔を空けて配置されていた（図１参照）のに対し、実線からなる複数の直線７ｉが、上縁３ａから下縁３ｂにかけて、互いに不均等な間隔を空けて配置されている。よって、複数の直線７ｉは、例えば、０．５ｃｍ、１ｃｍ、２ｃｍ等の所望の間隔で、かつ、この間隔を規則性なく混在させて、上縁３ａから下縁３ｂにかけて配置されたものとなる。よって、すき間収納具１ｉでは、複数の直線７ｉを補助線として利用できる。
また、図７（ｂ）に示すように、実施例の第９の変形例に係るすき間収納具１ｊは、壁部３に、前述の複数の直線７ｉと同様に、不均等な間隔を空けて配置された破線からなる複数の直線７ｊと、植物の図柄が設けられる。よって、すき間収納具１ｊでは、複数の直線７ｊを補助線として利用できる。
上記以外の実施例の第９及び第１０の変形例に係るすき間収納具１ｉ,１ｊの構成、作用及び効果は、それぞれ実施例に係るすき間収納具１の構成、作用及び効果と同様である。
【００５０】
なお、本考案に係るすき間収納具は、実施例に示すものに限定されない。例えば、本体２を、開閉可能な蓋体を有する角型ダンボール箱から蓋体を除去して制作しても良い。この場合、壁部３の四隅には上縁３ａから一定長さのスリットＳＬが存在しないことになる。この場合、スリットＳＬを備える場合と比較して、壁部３の強度がやや向上する。
上記以外にも、本体２は、開閉可能な蓋体を有しない角型ダンボール箱から制作されても良く、この場合、スリットＳＬは、制作者が形成することになる。しかし、蓋体を有する角型ダンボール箱を利用する場合では、蓋体の基端にある折り曲げ線によって完成したすき間収納具１に見栄えの悪さが感じられるおそれがあるのに対し、蓋体を有しない角型ダンボール箱を利用する場合では、蓋体の基端にある折り曲げ線が存在しないことから、前述の見栄えの悪さを全く感じさせないようにすることができる。
【００５１】
また、複数の直線７は、壁部３の外周面３ｃ〜３ｆに直接印刷されるほか、市販の方眼紙や罫線入りの紙が貼着されても良い。さらに、複数の直線７は、１本の直線７の太さが一定でなくても良く、図柄の一部を利用したものでも良い。すなわち、複数の直線７は、壁部３の長手方向Ｙと直交する横方向Ｘに沿って平行に走行する形状が見出せるのであれば、複数の直線７自体が、どのような色や太さ、あるいは波形で描出されても良く、また壁部３の外周面３ｃ〜３ｆに施される図柄や模様の一部を構成するものであっても、この図柄等の全体を構成するものであっても良い。そして、複数の直線７は、壁部３の上縁３ａから下縁３ｂのすべてに亘って設けられなくても良く、上縁３ａから下縁３ｂまでのうちの少なくとも一部に配置されていれば良い。
あるいは、実施例の第１乃至第１０に係るすき間収納具１,１ａ〜１ｊは、それぞれ壁部３の外周面に直接印刷されるほか、予め縞模様や格子柄等の図柄や写真が印刷されたシールが貼着されても良い。
そして、すき間収納具１,１ａ〜１ｊにおける複数の直線７,７ａ〜７ｊ及びデザインは、壁部３の外周面３ｃ〜３ｆのすべてに施される以外にも、外周面３ｃ〜３ｆの少なくとも１面に施されているのでも良い。
【００５２】
このほか、本体２及び被着部５は、ダンボール以外にも、薄厚の板材や樹脂板を材料として形成されても良く、材質は特に限定されない。また、本体２及び被着部５は、それぞれ一定の高さを有する限り、横方向Ｘの断面形状が円形状や楕円形状、正方形状や六角形状等の多角形状であっても良い。
さらに、本体２は、底部４が省略されても良い。この場合、滑り止め１１,１１も省略されるが、その代わりに滑り止めが壁部３の下縁３ｂを縁取るように設けられても良い。これ以外にも、滑り止めが被着部５の上端５ａを縁取るように設けられても良く、あるいは被着部５の上端５ａが平板で閉止され、この平板の外面に滑り止めが設けられても良い。
そして、複数の直線７毎に壁部３の上縁３ａからの間隔を示す番号が付されていても良く、本体２の内部に収容されている収容物の内容を示す説明書きを記入する記入欄が設けられていても良い。
【産業上の利用可能性】
【００５３】
本考案は、家具の天面と天井のすき間や、家具内のすき間に設置されるすき間収納具として利用可能である。
【符号の説明】
【００５４】
１,１ａ〜１ｊ…すき間収納具  ２…本体  ３…壁部  ３ａ…上縁  ３ｂ…下縁  ３ｃ〜３ｆ…外周面  ３ｇ…内部空間  ４…底部  ４ａ,４ｂ…長辺  ４ｃ,４ｄ…短辺  ４ｅ…外面  ５…被着部  ５ａ…上端  ６…開口部  ７, ７ａ〜７ｊ…直線  ８…ダンボール片  ８ａ,８ｂ…長辺  ８ｃ,８ｄ…短辺  ８ｅ…一方の面  ８ｆ…他方の面  ９ａ〜９ｃ…切れ込み  １０…角部  １１…滑り止め  ５０…家具  ５０ａ…天面  ５１…室内  ５２…壁  ５３…床  ５４…天井  ５５…ラック  ５５ａ…天面  ５５ｂ…棚  ５５ｃ…縦板  ＳＬ…スリット  Ｓ１，Ｓ２…すき間
【図１】
0003222808.tif 000003
【図２】
0003222808.tif 000004
【図３】
0003222808.tif 000005
【図４】
0003222808.tif 000006
【図５】
0003222808.tif 000007
【図６】
0003222808.tif 000008
【図７】
0003222808.tif 000009